(57)【要約】【課題】負荷が一定ではない誘導加熱調理器において、負荷の変化に対応するために共振コンデンサ容量を切替える場合、切換接点検知回路を追加せずに共振コンデンサが正常に切り替わっているかを判別できる誘導加熱調理器を提供すること。【解決手段】切替判別手段１４はインバータ部９への制御量と、入力電力値、共振電流値または共振電圧値のいずれかとに基づいて容量切替手段２１の切替動作が正常かを判別することにより、共振電圧や共振電流が高くなる場合や、切替手段６の基準電位が不安定な場合においても容易に異常を判別することができ、誤動作や素子の破壊を防ぐことができる。【選択図】図１
2014216070.tif 000002
【特許請求の範囲】
【請求項１】
高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータへの入力電力値を検出する入力検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記入力電力値に基づいて前記容量切替手段の切替動作が正常に行われているかを判別するようにした誘導加熱調理器。
【請求項２】
高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電流値を検出する電流検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電流値に基づいて前記容量切替手段の切替動作が正常に行われているかを判別するようにした誘導加熱調理器。
【請求項３】
高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電圧値を検出する共振電圧検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電圧値に基づいて前記容量切替手段の切替動作が正常に行われているかを判別するようにした誘導加熱調理器。
【請求項４】
前記切替判別手段が前記容量切替手段の切替動作が正常に行われていないと判断すると、切替動作が異常状態であることを使用者に報知して認識させる認識部を備えた請求項１〜３に記載の誘導加熱調理器。
【発明の詳細な説明】
【技術分野】
【０００１】
本発明は、誘導加熱調理器に関するものであり、特に、共振コンデンサの容量を切り換える切換手段を有し、共振コンデンサの容量を変化させることが出来るインバータを搭載した誘導加熱調理器に関するものである。
【背景技術】
【０００２】
従来、この種の誘導加熱調理器は、被加熱物の種類を判別し、切換手段により共振コンデンサの容量を切り換え、かつ、共振電圧により異常を検知していた。
（例えば、特許文献１参照）
図８は、前記公報に記載された従来の誘導加熱調理器のブロック図を示すものである。図８に示すように、第一の共振コンデンサ６２を直列ならびに並列接続で構成する複数のコンデンサと、複数のコンデンサに並列接続される、短絡/開放を切り換える切換手段６３と直列に接続される第二の共振コンデンサ６４の直列体と共振の電圧値を検出する共振電圧検知手段６８とを備え、被加熱物の材質を低抵抗非磁性金属と判別した場合、切替手段６３の出力を開放とする制御を行い、その他の材質と判別した場合、切換手段６３の出力を短絡とする制御を行う。切替手段６３の開放状態において、共振電圧検知手段の出力値が所定の値を超えた場合に、インバータの停止を行う。
【先行技術文献】
【特許文献】
【０００３】
【特許文献１】特開２００９−３０１９１５号公報
【発明の概要】
【発明が解決しようとする課題】
【０００４】
しかしながら、前記のように構成された従来の誘導加熱調理器においては、例えば切換手段を駆動する配線が断線したり、コネクタ接続が外れたり、また切換手段の切換接点が溶着したりした場合には被加熱物の材質に応じたインバータ制御を行うことができず、所望の入力電力を得ることができなかったり、インバータ回路の損失増大による異常発熱が発生する可能性があった。また、切換手段により共振コンデンサが正常に切り替わっているかを検知する手段もなかった。また、切換手段の切換接点検知回路を設けることは可能であるが、インバータ電圧が高電圧になるために切換接点検知回路の追加はコストが高くなるという課題があった。
【０００５】
本発明は、前記のように構成された従来の加熱調理器における課題を解決するものであり、切換接点検知回路を追加せずに共振コンデンサが正常に切り替わっているかを判別できる誘導加熱調理器を提供することを目的とする。
【課題を解決するための手段】
【０００６】
前記従来の課題を解決するために、本発明の誘導加熱調理器は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータへの入力電力値を検出する入力検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記入力電力値に基づいて前記容量切替手段の切替動作が正常に行われているかを判別するようにしたものである。
【０００７】
また、本発明の誘導加熱調理器は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電流値を検出する電流検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電流値に基づいて前記容量切替手段の切替動作が正常に行われているかを判別するようにしたものである。
【０００８】
また、本発明の誘導加熱調理器は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電圧値を検出する共振電圧検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電圧値に基づいて前記容量切替手段の切替動作が正常に行われているかを判別するようにしたものである。
【０００９】
これらによって、被加熱物に応じて切換手段が正常に動作し、インバータ部の共振コンデンサの容量が正常に変化しているかを判別することができる。
【発明の効果】
【００１０】
本発明の誘導加熱調理器は、共振コンデンサが正常に切り替わっているかを判別でき、切替手段の切替動作が正常に作動していないときに所望の入力電力が得られないまま火力感の低い加熱をし続けたり、インバータ回路の損失増大による異常発熱が発生したりすることなく加熱を停止するなどの手段を講じることができる。
【図面の簡単な説明】
【００１１】
【図１】本発明の実施の形態１の加熱調理器の全体構成を示すブロック図
【図２】本発明の実施の形態１の動作を示すフローチャート
【図３】本発明の実施の形態２の加熱調理器の全体構成を示すブロック図
【図４】本発明の実施の形態２の動作を示すフローチャート
【図５】本発明の実施の形態３の加熱調理器の全体構成を示すブロック図
【図６】本発明の実施の形態３の動作を示すフローチャート
【図７】本発明の実施の形態４の動作を示すフローチャート
【図８】従来の誘導加熱調理器のブロック図
【発明を実施するための形態】
【００１２】
第１の発明は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータへの入力電力値を検出する入力検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記入力電力値に基づいて前記容量切替手段の切替動作が正常に行われているかを判別するようにしたものである。これにより、共振コンデンサが正常に切り替わっているかを判別でき、切替手段の切
替動作が正常に作動していないときに所望の入力電力が得られないまま火力感の低い加熱をし続けたり、インバータ回路の損失増大による異常発熱が発生したりすることなく加熱を停止するなどの手段を講じることができ、誤動作や素子の破壊を防ぐことができる。
【００１３】
第２の発明は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電流値を検出する電流検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電流値に基づいて前記容量切替手段の切替動作が正常に行われているかを判別するようにしたものである。これにより、共振コンデンサが正常に切り替わっているかを判別でき、切替手段の切替動作が正常に作動していないときに所望の入力電力が得られないまま火力感の低い加熱をし続けたり、インバータ回路の損失増大による異常発熱が発生したりすることなく加熱を停止するなどの手段を講じることができ、誤動作や素子の破壊を防ぐことができる。
【００１４】
第３の発明は、高周波磁界を発生し被加熱物を加熱する加熱コイルと、前記加熱コイルと共振する共振コンデンサと、前記共振コンデンサの容量を切り替える容量切替手段と、前記加熱コイルに高周波電流を供給するインバータと、前記インバータの共振電圧値を検出する共振電圧検出手段と、前記容量切替手段の切替制御および所望の入力電力となるように前記インバータへの制御量を調節して前記加熱コイルに供給する高周波電流の量を制御する制御手段と、前記容量切替手段の切替動作が正常に行われているかを判別する切替判別手段とを備え、前記切替判別手段は前記インバータへの制御量と前記共振電圧値に基づいて前記容量切替手段の切替動作が正常に行われているかを判別するようにしたものである。これにより、共振コンデンサが正常に切り替わっているかを判別でき、切替手段の切替動作が正常に作動していないときに所望の入力電力が得られないまま火力感の低い加熱をし続けたり、インバータ回路の損失増大による異常発熱が発生したりすることなく加熱を停止するなどの手段を講じることができ、誤動作や素子の破壊を防ぐことができる。
【００１５】
第４の発明は、特に、第１から第３の発明において、前記切替判別手段が前記容量切替手段の切替動作が正常に行われていないと判断すると、切替動作が異常状態であることを使用者に報知して認識させる認識部を備えたものである。これにより、使用者に調理器の異常を知らせることができ、切替動作の異常に気づかずに火力感の弱い状態で使用し続けたりすることなく、使用を停止することができる。
【００１６】
（実施の形態１）
図１は本発明の第１の実施の形態の誘導加熱調理器の全体構成を示すブロック図である。
【００１７】
図１において、本体上面に設けられガラスなどの電気絶縁物からなるトッププレート１に調理物を入れて調理する調理容器２を載置し、加熱部４は誘導加熱コイルにより高周波磁界を発生させて調理容器２をトッププレート１の下方から誘導加熱する加熱コイル３で構成されており、加熱コイル３は、トッププレート１の下方に設けられている。
【００１８】
加熱部４の下方には、加熱コイル３と共振する第１の共振コンデンサ５と、短絡／開放を切り替える切替手段６と第２の共振コンデンサ７を直列に接続した容量切替手段２１を備え、容量切替手段２１を第１の共振コンデンサ５に並列接続して、切替手段６の短絡／開放により加熱コイル３と共振する共振コンデンサ容量を切替えることができるようにしている。
【００１９】
加熱制御部１１は、商用電源８から供給される交流電源から高周波電流を生成し、加熱コイル３に出力するインバータ部９と、切替手段６の短絡/開放の切替制御とインバータ部９のスイッチング周波数（駆動周波数）やスイッチングのＯＮ／ＯＦＦの比であるデューティ比の制御を行い加熱コイル３に供給される高周波電流をコントロールする制御手段１０で構成されている。
【００２０】
入力検出手段１３は、加熱制御部１１と商用電源８との間に設置され、カレントトランス１２により加熱制御部１１に供給される電流を検出し、制御手段１０は入力検出手段１３の検出値から加熱部４への入力電力値を算出する。
【００２１】
切替判別手段１４は、容量切替手段２１の状態に応じた加熱コイル３の共振コンデンサ容量が制御手段１０の指示どおりであるかどうかを判別して判別結果を制御手段１０に送信する。認識部１５は、切替判別手段１４の判別結果を表示して使用者に認識させる。制御手段１０は切替判別手段１４の判別結果が制御手段１０の指示どおりで正常状態である場合は加熱動作を継続し、制御手段１０の指示とは異なる異常状態である場合は加熱制御部１１の動作を停止させ、認識部１５に異常状態であることを表示する。そして認識部１５は使用者が認識しやすいように調理容器２が載置される領域の前面に設けられている。
【００２２】
電源開閉部１６は、加熱制御部１１と商用電源８との間に設置され、閉とすることで加熱制御部１１への電源供給を行い、開とすることで加熱制御部１１への電源供給を遮断するようにしており、電源スイッチ１７で構成される開閉制御部１８のオン操作により電源開閉部１６を閉とし、オフ操作により電源開閉部１６を開とし、電源スイッチ１７は、トッププレート１の使用者が操作可能な領域に設けられている。
【００２３】
以上のように構成された誘導加熱調理器について、以下、その動作を説明する。
【００２４】
図２は、本発明の第１の実施の形態の動作を示すフローチャートである。
【００２５】
図２において、まず、ＳＴＥＰ０にて加熱制御部１１への電源供給が遮断された状態である電源オフモードからスタートし、ＳＴＥＰ１にて電源開閉部１６を閉とする操作がされると電源オンモードに移行する。ＳＴＥＰ２で加熱制御部１１の動作が開始されると、制御手段１０は入力検出手段１３が検出する入力電力値を使用者が設定した目標電力値となるように加熱コイル３に供給される高周波電流をコントロールする。また、ＳＴＥＰ３にて制御手段１０は被加熱物に応じて切替手段６の短絡／開放を行い共振コンデンサ容量を切り替える。そして、制御手段１０が切替手段６を短絡とする場合、ＳＴＥＰ４ａへ移行し、切替判別手段１４は制御手段１０によるインバータ部９のデューティー比と入力検出手段１３による入力電力値により規定される第１の判別式により、正常か異常かを判別し、入力電力値をデューティー比で割った値が第１の所定値より大きければＳＴＥＰ５ａに移行して正常と判別し、そのままの動作を継続し再度ＳＴＥＰ４ａに戻る。また、ＳＴＥＰ４ａにて入力電力値をデューティー比で割った値が第１の所定値より小さければＳＴＥＰ５ｃに移行して異常と判別し、ＳＴＥＰ６にて加熱制御部１１の動作を停止し、ＳＴＥＰ７にて認識部１５にエラーを表示する。
【００２６】
一方、ＳＴＥＰ３にて、制御手段１０が切替手段６を短絡とせずに開放とする場合、ＳＴＥＰ４ｂへ移行し、切替判別手段１４はインバータ部９のデューティー比と入力検出手段１３による入力電力値により規定される第２の判別式により、正常か異常かを判別し、入力電力値をデューティー比で割った値が第２の所定値より小さければＳＴＥＰ５ｂに移行して正常と判別し、そのままの動作を継続し再度ＳＴＥＰ４ｂに戻る。また、ＳＴＥＰ４ｂにて入力電力値をデューティー比で割った値が第２の所定値より大きければＳＴＥＰ
５ｃに移行して異常と判別し、ＳＴＥＰ６にて加熱制御部１１の動作を停止し、ＳＴＥＰ７にて認識部１５にエラーを表示する。
【００２７】
以上のことから、本実施の形態の誘導加熱調理器によれば、切替判別手段１４はスイッチング周波数とデューティー比の少なくともどちらか一つと入力電力値に基づいて容量切替手段２１が正常に動作しているかを判別し、異常と判別された場合は認識部１５にエラー表示し、インバータ動作を停止する機能を持つことを特徴とすることにより、インバータの誤動作を防ぐことができ、また、共振電圧や共振電流が高くなる場合や、切替手段６の基準電位が不安定な構成でも容易に容量切替手段２１が正常に作動しているかどうかを判別することができる。
【００２８】
なお、本発明の誘導加熱調理器において、加熱部４の構成は、本実施の形態の構成に限定されるものではなく、被加熱物を誘導加熱できるものであれば良い。
【００２９】
また、加熱制御部１１の構成は、本実施の形態の構成に限定されるものではなく、加熱コイル３と共振するコンデンサの容量が切り換え可能で、加熱コイル３に高周波電流を供給できるものであれば良い。
【００３０】
また、カレントトランス１２の設置位置は、実施の形態１の構成に限定されるものではなく、少なくとも加熱制御部１１に供給される電流を検出できればよい。
【００３１】
また、入力検出手段１３は、本実施の形態の構成に限定されるものではなく、少なくとも加熱部４で消費されるエネルギー値が検出できれば良い。例えば、加熱制御部１１と商用電源８との間に直列に抵抗を設け、入力電流による抵抗の電圧降下により発生する両端電圧から加熱部４で消費されるエネルギー値を検出しても良い。
【００３２】
また、切替判別手段１４の判別方法は、本実施の形態の方法に限定されるものではなく、インバータ部９のデューティー比またはスイッチング周波数により加熱部４の加熱出力を制御する制御量と入力電力値に基づいて加熱コイル３と共振するコンデンサ容量が制御手段１０の意図した容量となっているかを判別できれば、判別式の構成が異なっても良い。
【００３３】
また、認識部１５は、本実施の形態の構成に限定されるものではなく、少なくとも使用者が機器の異常状態を認識できればよく、例えば音声で異常状態を報知してもよく、設置場所については少なくとも使用者が視認できる場所であれば良い。
【００３４】
また、電源スイッチ１７の設置場所は、本実施の形態の構成に限定されるものではなく、使用者が操作できる位置であればよい。
【００３５】
また、第１の判別式と第２の判別式は同じでも良いし、異なる式でも良い。
【００３６】
また、第１の所定値と第２の所定値は同じでも良いし、異なる値でも良い。
【００３７】
（実施の形態２）
次に、本発明の第２の実施の形態の誘導加熱調理器について、図３及び図４を参照しながら説明する。実施の形態２は切替判別手段１４と電流検出手段の構成、機能に特徴があり、電流検出手段と切替判別手段以外の構成、機能は実施の形態１と共通である。よって、実施の形態１の加熱調理器において説明したものと同じ、機能、構成を有するものには同一符号を用いて、その説明を省略する。
【００３８】
図３は本発明の第２の実施の形態の誘導加熱調理器の全体構成を示すブロック図である。
【００３９】
図３において、本実施の形態は実施の形態１にインバータに流れる電流を検出する電流検出手段１９を新たに加えた構成となっている。
【００４０】
以上のように構成された誘導加熱調理器について、以下、その機能を説明する。
【００４１】
図４は、本発明の第２の実施の形態の動作を示すフローチャートである。
【００４２】
図４において、ＳＴＥＰ２で加熱制御部１１の動作が開始されると、ＳＴＥＰ３にて制御手段１０は被加熱物に応じて切替手段６の短絡／開放を行い共振コンデンサ容量を切り替える。そして、制御手段１０が切替手段６を短絡とする場合、ＳＴＥＰ４ｃへ移行し、切替判別手段１４は制御手段１０によるインバータ部９のデューティー比と共振電流値により規定される第３の判別式により、正常か異常かを判別し、共振電流値をデューティー比で割った値が第３の所定値より大きければＳＴＥＰ５ａに移行して正常と判別し、そのままの動作を継続し再度ＳＴＥＰ４ｃに戻る。また、ＳＴＥＰ４ｃにて共振電流値をデューティー比で割った値が第３の所定値より小さければＳＴＥＰ５ｃに移行して異常と判別し、ＳＴＥＰ６にて加熱制御部１１の動作を停止し、ＳＴＥＰ７にて認識部１５にエラーを表示する。
【００４３】
一方、ＳＴＥＰ３にて、制御手段１０が切替手段６を短絡とせずに開放とする場合、ＳＴＥＰ４ｄへ移行し、切替判別手段１４はインバータ部９のデューティー比と共振電流値により規定される第４の判別式により、正常か異常かを判別し、共振電流値をデューティー比で割った値が第４の所定値より小さければＳＴＥＰ５ｂに移行して正常と判別し、そのままの動作を継続し再度ＳＴＥＰ４ｄに戻る。また、ＳＴＥＰ４ｄにて共振電流値をデューティー比で割った値が第４の所定値より大きければＳＴＥＰ５ｃに移行して異常と判別し、ＳＴＥＰ６にて加熱制御部１１の動作を停止し、ＳＴＥＰ７にて認識部１５にエラーを表示する。
【００４４】
以上のことから、本実施の形態の誘導加熱調理器によれば、切替判別手段１４はスイッチング周波数とデューティー比の少なくともどちらか一つと共振電流値に基づいて容量切替手段２１が正常に動作しているかを判別し、異常と判別された場合は認識部１５にエラー表示し、インバータ動作を停止する機能を持つことを特徴とすることにより、インバータの誤動作を防ぐことができ、また、共振電圧が高くなる場合や、切替手段６の基準電位が不安定な構成でも容易に容量切替手段２１が正常に作動しているかどうかを判別することができる。
【００４５】
なお、本発明の加熱調理器において、切替判別手段１４の判別方法は、本実施の形態の方法に限定されるものではなく、インバータ部９のデューティー比またはスイッチング周波数により加熱部４の加熱出力を制御する制御量と共振電流値に基づいて加熱コイル３と共振するコンデンサ容量が制御手段１０の意図した容量となっているかを判別できれば、判別式の構成が異なっても良い。
【００４６】
また、第３の判別式と第４の判別式は同じでも良いし、異なる式でも良い。
【００４７】
また、第３の所定値と第４の所定値は同じでも良いし、異なる値でも良い。
【００４８】
（実施の形態３）
次に、本発明の第３の実施の形態の誘導加熱調理器について、図５及び６を参照しなが
ら説明する。実施の形態３は切替判別手段１４と共振電圧検出手段２０の構成、機能に特徴があり、共振電圧検出手段２０と切替判別手段１４以外の構成、機能は実施の形態１及び２と共通である。よって、実施の形態１及び２の加熱調理器において説明したものと同じ、機能、構成を有するものには同一符号を用いて、その説明を省略する。
【００４９】
図５は本発明の第３の実施の形態の誘導加熱調理器の全体構成を示すブロック図である。
【００５０】
図５において、本実施の形態は実施の形態２にインバータの共振電圧値を検出する共振電圧検出手段を新たに加えた構成となっている。
【００５１】
以上のように構成された誘導加熱調理器について、以下、その機能を説明する。
【００５２】
図６は、本実施の形態３の動作を示すフローチャートである。
【００５３】
図６において、ＳＴＥＰ２で加熱制御部１１の動作が開始されると、ＳＴＥＰ３にて制御手段１０は被加熱物に応じて切替手段６の短絡／開放を行い共振コンデンサ容量を切り替える。そして、制御手段１０が切替手段６を短絡とする場合、ＳＴＥＰ４ｅへ移行し、切替判別手段１４は制御手段１０によるインバータ部９のデューティー比と共振電圧値により規定される第５の判別式により、正常か異常かを判別し、共振電圧値をデューティー比で割った値が第５の所定値より大きければＳＴＥＰ５ａに移行して正常と判別し、そのままの動作を継続し再度ＳＴＥＰ４ａに戻る。また、ＳＴＥＰ４ｅにて共振電圧値をデューティー比で割った値が第５の所定値より小さければＳＴＥＰ５ｃに移行して異常と判別し、ＳＴＥＰ６にて加熱制御部１１の動作を停止し、ＳＴＥＰ７にて認識部１５にエラーを表示する。
【００５４】
一方、ＳＴＥＰ３にて、制御手段１０が切替手段６を短絡とせずに開放とする場合、ＳＴＥＰ４ｆへ移行し、切替判別手段１４はインバータ部９のデューティー比と共振電圧値により規定される第６の判別式により、正常か異常かを判別し、共振電圧値をデューティー比で割った値が第６の所定値より小さければＳＴＥＰ５ｂに移行して正常と判別し、そのままの動作を継続し再度ＳＴＥＰ４ｆに戻る。また、ＳＴＥＰ４ｆにて共振電圧値をデューティー比で割った値が第６の所定値より大きければＳＴＥＰ５ｃに移行して異常と判別し、ＳＴＥＰ６にて加熱制御部１１の動作を停止し、ＳＴＥＰ７にて認識部１５にエラーを表示する。
【００５５】
以上のことから、本実施の形態の誘導加熱調理器によれば、切替判別手段１４はスイッチング周波数とデューティー比の少なくともどちらか一つと共振電圧値に基づいて容量切替手段２１が正常に動作しているかを判別し、異常と判別された場合は認識部１５にエラー表示し、インバータ動作を停止する機能を持つことを特徴とすることにより、インバータの誤動作を防ぐことができ、また、共振電圧が高くなる場合でも容易に容量切替手段２１が正常に動作しているかどうかを判別することができる。
【００５６】
なお、本実施の形態の誘導加熱調理器において、切替判別手段１４の判別方法は、本実施の形態の方法に限定されるものではなく、インバータ部９のデューティー比またはスイッチング周波数により加熱部４の加熱出力を制御する制御量と共振電圧値に基づいて加熱コイル３と共振するコンデンサ容量が制御手段１０の意図した容量となっているかを判別できれば、判別式の構成が異なっても良い。
【００５７】
また、第５の判別式と第６の判別式は同じでも良いし、異なる式でも良い。
【００５８】
また、第５の所定値と第６の所定値は同じでも良いし、異なる値でも良い。
【００５９】
（実施の形態４）
次に、本発明の第４の実施の形態の誘導加熱調理器について、図７を参照しながら説明する。実施の形態４は切替判別手段１４の機能に特徴があり、切替判別手段１４以外の機能は実施の形態１〜３のいずれか一項と共通である。よって、実施の形態１〜３のいずれか一項の加熱調理器において説明したものと同じ、機能、構成を有するものには同一符号を用いて、その説明を省略する。
【００６０】
以上のように構成された誘導加熱調理器について、以下、その機能を説明する。
【００６１】
図７は、本発明の第４の実施の形態の動作を示すフローチャートである。
【００６２】
図７において、ＳＴＥＰ３にて、制御手段１０が切替手段６を短絡とする場合は、ＳＴＥＰ４ｇへ移行し、切替判別手段１４は制御手段１０によるインバータ部９のデューティー比と入力電力値と共振電流値とにより規定される第７の判別式により、正常か異常かを判別し、制御手段１０が切替手段６を開放とする場合は、ＳＴＥＰ４ｂへ移行し、切替判別手段１４は制御手段１０によるインバータ部９のデューティー比と入力電力値と共振電流値により規定される第８の判別式により、正常か異常かを判別する。
【００６３】
以上のことから、本実施の形態の誘導加熱調理器によれば、切替判別手段１４はデューティー比と入力電力値と共振電流値に基づいて正常か異常を判別することで、さらに精度よく正常もしくは異常を判別することが出来る。
【００６４】
なお、本実施の形態の誘導加熱調理器において、切替判別手段１４の判別方法は、本実施の形態の方法に限定されるものではなく、入力電力値と共振電流値と共振電圧値の中から少なくとも２つ以上を用いて判別するものであれば良く、デューティー比またはスイッチング周波数のパラメータを用いなくても上記３つのパラメータにおいて２次元または３次元的に区分すれば共振コンデンサの容量が正常かどうかを判別可能である。
【００６５】
また、第７の判別式と第８の判別式は同じでも良いし、異なる式でも良い。
【産業上の利用可能性】
【００６６】
以上のように、本発明にかかる誘導加熱調理器は、誘導加熱インバータ構成において、負荷の変化に対応して共振コンデンサ容量を変更する際、切替手段の接点検知などの動作検証回路を追加しなくても正常に変更されているかを判別することができ、異常の場合は誤動作や発熱ロスを防ぐことが可能となるので、負荷が一定ではない誘導加熱を行う機器全般に適用できる。
【符号の説明】
【００６７】
１  トッププレート
２  調理容器
３  加熱コイル
４  加熱部
５  第１の共振コンデンサ
６  切替手段
７  第２の共振コンデンサ
８  商用電源
９  インバータ部
１０  制御手段
１１  加熱制御部
１２  カレントトランス
１３  入力検出手段
１４  切替判別手段
１５  認識部
１６  電源開閉部
１７  電源スイッチ
１８  開閉制御部
１９  電流検出手段
２０  共振電圧検出手段
２１  容量切替手段
【図１】
2014216070.tif 000003
【図２】
2014216070.tif 000004
【図３】
2014216070.tif 000005
【図４】
2014216070.tif 000006
【図５】
2014216070.tif 000007
【図６】
2014216070.tif 000008
【図７】
2014216070.tif 000009
【図８】
2014216070.tif 000010